(57)【特許請求の範囲】
【請求項１】
前方開口状の外枠（１）と、該外枠（１）内に前後スライド可能に差込まれる複数の引出し（２）と、から成るキャビネットであって、上記引出し（２）は、物品収納凹所（３）を有する本体部（４）と、該本体部（４）の前面に横幅方向略全体にわたるように取付けられる手掛け部（５）と、から成り、該手掛け部（５）は、上記本体部（４）の前面壁部（６）に固着される取付壁部（７）と該取付壁部（７）に一体に形成されると共に前方下傾部（13）とその前端に形成される鉛直部（14）とを有する庇状壁部（８）とから成る取付枠（18）と、該庇状壁部（８）の後面に左右方向の第１水平軸心（Ｌ1 ）廻りに揺動自在に取付けられる揺動操作片（９）と、該揺動操作片（９）の後方であって上記取付壁部（７）の前面に左右方向の第２水平軸心（Ｌ2 ）廻りに揺動自在に取付けられると共に上記揺動操作片（９）の揺動に連動して揺動する揺動爪片（10）と、を備え、上記揺動操作片（９）の揺動操作により、上記揺動爪片（10）が上記外枠（１）の係止部（11）に係脱自在に係止するように、構成し、さらに、上記揺動操作片（９）が、庇状壁部（８）の後面に上端縁が枢着される垂下片部（24）と、該垂下片部（24）の後面に斜め上方延伸状に形成される傾斜片部（25）と、該傾斜片部（25）の上端縁から上方へ延伸される鉛直片部（26）と、該鉛直片部（26）に後方突出状に形成されると共に揺動爪片（10）に当接する揺動力伝達片部（27）と、から成ることを特徴とするキャビネット。
【請求項２】
前方開口状の外枠（１）と、該外枠（１）内に前後スライド可能に差込まれる複数の引出し（２）と、から成るキャビネットであって、上記引出し（２）は、物品収納凹所（３）を有する本体部（４）と、該本体部（４）の前面に横幅方向略全体にわたるように取付けられる手掛け部（５）と、から成り、該手掛け部（５）は、上記本体部（４）の前面壁部（６）に固着される取付壁部（７）と該取付壁部（７）に一体に形成されると共に前方下傾部（13）とその前端に形成される鉛直部（14）とを有する庇状壁部（８）とから成る取付枠（18）と、該庇状壁部（８）の後面に左右方向の第１水平軸心（Ｌ1 ）廻りに揺動自在に取付けられる揺動操作片（９）と、該揺動操作片（９）の後方であって上記取付壁部（７）の前面に左右方向の第２水平軸心（Ｌ2 ）廻りに揺動自在に取付けられると共に上記揺動操作片（９）の揺動に連動して揺動する揺動爪片（10）と、を備え、上記揺動操作片（９）の揺動操作により、上記揺動爪片（10）が上記外枠（１）の係止部（11）に係脱自在に係止するように、構成し、さらに、上記手掛け部（５）の取付壁部（７）に、該手掛け部（５）を本体部（４）の前面壁部（６）に取付けるためのねじ部材（19）のねじ軸部（20）を挿通するねじ挿通孔（21）を貫設し、かつ、該手掛け部（５）の庇状壁部（８）の上記ねじ挿通孔（21）に対応する位置に上記ねじ部材（19）が通過可能とされると共に該ねじ部材（19）を回転させる作業工具が挿通可能な貫孔（22）を、設けたことを特徴とするキャビネット。
【発明の詳細な説明】
【０００１】
【発明の属する技術分野】
本発明は、キャビネットに関する。
【０００２】
【従来の技術】
従来、引出しを仮施錠するロック機構を備えたキャビネットとしては、引出しの前面に、ロック用の爪部が一体に形成された揺動操作片が上下揺動自在に取付けられたものが公知であった。
【０００３】
【発明が解決しようとする課題】
しかし、上述のように揺動操作片に爪部が一体に形成されたものでは、揺動操作による爪部側の上下ストロークが大きくなるため、引出しの高さ寸法を小さくするのが困難であった。また、ロック機構の構成部品を引出し本体部に取付け難いという問題があった。
【０００４】
そこで、本発明は、上述の問題を解決して、仮施錠用のロック機構を有するにもかかわらず引出しの高さ寸法を小さくすることができるキャビネットを提供することを目的とする。また、組立作業が容易なキャビネットを提供することを目的とする。
【０００５】
【課題を解決するための手段】
上述の目的を達成するために本発明に係るキャビネットは、前方開口状の外枠と、該外枠内に前後スライド可能に差込まれる複数の引出しと、から成るキャビネットであって、上記引出しは、物品収納凹所を有する本体部と、該本体部の前面に横幅方向略全体にわたるように取付けられる手掛け部と、から成り、該手掛け部は、上記本体部の前面壁部に固着される取付壁部と該取付壁部に一体に形成されると共に前方下傾部とその前端に形成される鉛直部とを有する庇状壁部とから成る取付枠と、該庇状壁部の後面に左右方向の第１水平軸心廻りに揺動自在に取付けられる揺動操作片と、該揺動操作片の後方であって上記取付壁部の前面に左右方向の第２水平軸心廻りに揺動自在に取付けられると共に上記揺動操作片の揺動に連動して揺動する揺動爪片と、を備え、上記揺動操作片の揺動操作により、上記揺動爪片が上記外枠の係止部に係脱自在に係止するように、構成し、さらに、上記揺動操作片が、庇状壁部の後面に上端縁が枢着される垂下片部と、該垂下片部の後面に斜め上方延伸状に形成される傾斜片部と、該傾斜片部の上端縁から上方へ延伸される鉛直片部と、該鉛直片部に後方突出状に形成されると共に揺動爪片に当接する揺動力伝達片部と、から成るものである。
【０００６】
また、前方開口状の外枠と、該外枠内に前後スライド可能に差込まれる複数の引出しと、から成るキャビネットであって、上記引出しは、物品収納凹所を有する本体部と、該本体部の前面に横幅方向略全体にわたるように取付けられる手掛け部と、から成り、該手掛け部は、上記本体部の前面壁部に固着される取付壁部と該取付壁部に一体に形成されると共に前方下傾部とその前端に形成される鉛直部とを有する庇状壁部とから成る取付枠と、該庇状壁部の後面に左右方向の第１水平軸心廻りに揺動自在に取付けられる揺動操作片と、該揺動操作片の後方であって上記取付壁部の前面に左右方向の第２水平軸心廻りに揺動自在に取付けられると共に上記揺動操作片の揺動に連動して揺動する揺動爪片と、を備え、上記揺動操作片の揺動操作により、上記揺動爪片が上記外枠の係止部に係脱自在に係止するように、構成し、さらに、上記手掛け部の取付壁部に、該手掛け部を本体部の前面壁部に取付けるためのねじ部材のねじ軸部を挿通するねじ挿通孔を貫設し、かつ、該手掛け部の庇状壁部の上記ねじ挿通孔に対応する位置に上記ねじ部材が通過可能とされると共に該ねじ部材を回転させる作業工具が挿通可能な貫孔を、設けたものである。
【０００７】
【発明の実施の形態】
以下、図示の実施の形態に基き本発明を詳説する。
【０００８】
図７は本発明に係るキャビネットの実施の一形態を示し、このキャビネットは、前方開口状の外枠１と、その外枠１内に前後スライド可能に差込まれる複数の引出し２…と、から成り、工場、作業場、検査場、研究室等にて種々の作業工具、小物、部品等を収納するためのものである。
【０００９】
しかして、図１と図２に示すように、引出し２は、物品収納凹所３を有する本体部４と、その本体部４の前面に横幅方向略全体にわたるように取付けられる手掛け部５と、から成る。手掛け部５は、本体部４の前面壁部６に固着される取付壁部７と該取付壁部７に一体に形成される庇状壁部８とから成る取付枠18と、庇状壁部８の後面に左右方向の第１水平軸心Ｌ1 廻りに揺動自在に取付けられる揺動操作片９と、揺動操作片９の後方であって取付壁部７の前面に左右方向の第２水平軸心Ｌ2 廻りに揺動自在に取付けられると共に揺動操作片９の揺動に連動して揺動する揺動爪片10と、弾発部材30を備える。
【００１０】
取付枠18は、押出型材から成る。具体的には、図１と図２と図３に示すように、取付枠18の庇状壁部８は、取付壁部７の上端縁に一体に形成される水平部12と、その水平部12の前端縁から前下方へ延伸される前方下傾部13と、前方下傾部13の前端に形成される鉛直部14と、から成る。前方下傾部13の前面側の上下両端部には、対向状係止片部16, 16が突設され、その係止片部16, 16の間に内容物表示帯材15を差し込む。また、前方下傾部13の後面側下部には、横倒Ｃ型の揺動操作片枢支部17が形成される。
【００１１】
さらに、取付壁部７に、手掛け部５を本体部４の前面壁部６に取付けるためのねじ部材19のねじ軸部20を挿通するねじ挿通孔21を貫設する。かつ、手掛け部５の庇状壁部８のねじ挿通孔21に対応する位置にねじ部材19が通過可能とされると共にねじ部材19を回転させる作業工具が挿通可能な貫孔22を、設ける。さらに、図１に破線にて示すように、取付壁部７の前面に、Ｃ型の揺動爪片枢支部29を形成する。また、取付枠18の両端部に、キャップ部材23を嵌着する。
【００１２】
また、図１と図４に示すように、揺動操作片９は、庇状壁部８の後面に上端縁が枢着される垂下片部24と、垂下片部24の後面に斜め上方延伸状に形成される傾斜片部25と、傾斜片部25の上端縁から上方へ延伸される鉛直片部26と、鉛直片部26に後方突出状に形成されると共に揺動爪片10に当接する揺動力伝達片部27と、から成る。揺動操作片９は、取付枠18の略全長にわたるように押出型材にて形成される。また、垂下片部24は、円形軸部28を上端に有する。
【００１３】
また、図１と図５に示すように、揺動爪片10は、爪片本体36と、その爪片本体36に直交状に固着される軸部37と、から成る。爪片本体36は、図外の弾発部材30の一端を係止するための貫孔31を上部に有する鉛直片部32と、その鉛直片部32の下端に一体に形成される基端片部33と、鉛直片部32の略中間部から基端片部33とは反対側に延伸されると共に先端下方に係止面34と誘導傾斜面45を有する係止片部35と、から成り、鉛直片部32の下端部に、軸部37が固着される。
【００１４】
また、図１と図２にもどって、外枠１に、揺動爪片10の係止片部35の係止面34が係脱自在に係止する係止部11を設ける。係止部11は、引出し２を前後スライド自在に支持するレールＲに形成される。レールＲは、引出し２の本体部４の左右両側面の後端部に枢着された図示省略のローラが転接可能な前後方向の上受け面41ａと下受け面41ｂを有するレール本体42と、そのレール本体42の先端寄りに枢着されると共に引出し２の本体部４の左右両側面に突設された水平支持片39の下面に転動自在に当接する受けローラ40と、から成り、外枠１の左右両内側面に固設される。そして、レール本体42の先端下部に、後端に係止部11を有する断面倒立Ｌ字状の内側折曲片43を形成する。レール本体42には、外枠１に固定するための打出係止片46が形成される。
【００１５】
しかして、揺動操作片９の揺動操作により、揺動爪片10が外枠１の係止部11に係脱自在に係止するように、構成する。即ち、図１と図６に示すように、揺動操作片９の垂下片部24の円形軸部28を、庇状壁部８の前方下傾部13の横倒Ｃ型の揺動操作片枢支部17に挿入して揺動自在とする。また、揺動爪片10の軸部37を取付壁部７の揺動爪片枢支部29に挿入して揺動自在とする。なお、取付壁部７の左右方向一端部にのみ揺動爪片10を配設する。かつ、揺動操作片９の揺動力伝達片部27の下面を、揺動爪片10の基端片部33の上面に当接させる。
【００１６】
また、弾発部材30を揺動爪片10の軸部37に外嵌させると共に、弾発部材30の一端を揺動爪片10に係止させ、さらに、弾発部材30の他端を揺動操作片９又は庇状壁部８の揺動操作片枢支部17に係止させて、揺動爪片10をロックがかかる揺動方向に常時弾発付勢する。しかして、引出し２の揺動操作片９と、揺動爪片10と、弾発部材30、及び、外枠１のレールＲの係止部11にて、仮施錠用のロック機構44を、構成する。
【００１７】
上述のように構成したことにより、図６に示すように、引出し２の手掛け部５の下方から指を挿入して揺動操作片９を手前（前方）へ引けば、揺動操作片９が第１水平軸心Ｌ1 廻りに揺動し、かつ、揺動爪片10が第２水平軸心Ｌ2 廻りに揺動して、揺動爪片10の係止面34がレールＲの係止部11から離脱する。これにより、ロック解除状態となり、引出し２を前方へ引き出すことができる。また、揺動操作片９から指を離せば、揺動操作片９と揺動爪片10がロック状態の位置に戻る。また、引出し２を外枠１に差し込む際は、揺動爪片10の誘導傾斜面45がレールＲの内側折曲片43に摺接して乗り越えて、自動的に仮施錠される。
【００１８】
しかして、このキャビネットによれば、揺動操作片９の第１水平軸心Ｌ1 は、庇状壁部８の後面に接近して配置できて、指の引掛けが容易であり、かつ力を加え易くなる。しかも、この揺動操作片９が揺動してもその下端縁が上下にほとんど移動しないので、コンパクトに庇状壁部８の内側に収納できて、結局、引出し２の高さ寸法Ｈが小さくともこれらの部品を収納可能となる。これにより、引出し２の上下高さ寸法Ｈを小さくすることができる。例えば、高さ寸法Ｈを40〜50mm程度とすることができる。また、揺動操作片９が横断面略Ｙ字状であり、揺動操作片９の垂下片部24と取付壁部７との間隔寸法を大きくとることができるため、引出し２を引き出す際に、揺動操作片９に指を掛け易い。さらに、揺動操作片９が、引出し２の横幅方向全長にわたるので、一層指を掛け易い。
【００１９】
また、このキャビネットの製造時に、手掛け部５の取付枠18の前方下傾部13の貫孔22から、取付用のねじ部材19を挿入し、かつ、作業工具の先端部を挿入して、ねじ部材19を螺入させることにより、引出し２の本体部４に手掛け部５を容易かつ迅速に取付けることができる。そして、組立作業が容易となり、量産に貢献できる。かつ、引出し２の強度が大きくなり、比較的大重量（例えば50〜 100kg程度）の物品を１個の引出し２に収納できる。また、貫孔22を内容物表示帯材15にて隠すことができるので、外観上の問題は発生しない。また、ロック機構44の係止部11をレールＲに一体に形成したので、レールＲの取付け位置の変更により、係止部11を外枠１内の自由な高さ位置に配置できる。
【００２０】
なお、本発明は上述の実施の形態に限定されず、例えば、引出し２の左右方向幅寸法が大きい場合は、取付壁部７の左右方向両端部に揺動爪片10を配設するのが好ましい。そのようにすれば、引出し２の仮施錠がより確実となる。
【００２１】
【発明の効果】
本発明は上述の構成により、次のような著大な効果を奏する。
【００２２】
請求項１記載のキャビネットによれば、揺動操作片９の第１水平軸心Ｌ1 は、庇状壁部８の後面に接近して配置できて、指の引掛けが容易であり、かつ力を加え易くなる。しかも、この揺動操作片９が揺動してもその下端縁が上下にほとんど移動しないので、コンパクトに庇状壁部８の内側に収納できて、結局、引出し２の高さ寸法Ｈが小さくともこれらの部品を収納可能となる。即ち、引出し２の高さ寸法Ｈを小さくしても、揺動爪片10を、この小さな高さ寸法Ｈの範囲内で確実にロックと解除が可能な揺動角度をもって、揺動させることができる。従って、重くかつ小さい工具、あるいは、鉄心や鉄板等を整理して収納するためのキャビネットとして最適である。
また、手掛け部５の取付壁部７と揺動操作片９の垂下片部24との間隔寸法を大きくとることができ、引出し２を引き出す際に、揺動操作片９に指を掛け易い。
【００２３】
また、請求項２記載のキャビネットによれば、揺動操作片９の第１水平軸心Ｌ1 は、庇状壁部８の後面に接近して配置できて、指の引掛けが容易であり、かつ力を加え易くなる。しかも、この揺動操作片９が揺動してもその下端縁が上下にほとんど移動しないので、コンパクトに庇状壁部８の内側に収納できて、結局、引出し２の高さ寸法Ｈが小さくともこれらの部品を収納可能となる。即ち、引出し２の高さ寸法Ｈを小さくしても、揺動爪片10を、この小さな高さ寸法Ｈの範囲内で確実にロックと解除が可能な揺動角度をもって、揺動させることができる。従って、重くかつ小さい工具、あるいは、鉄心や鉄板等を整理して収納するためのキャビネットとして最適である。
また、引出し２の上下高さ寸法Ｈが小さくとも、引出し２の本体部４に手掛け部５を容易かつ迅速に取付けることができる。そして、簡単に組立てることができ量産に最適である。また、引出し２の強度が大きくなり、比較的大重量の物品を収納できる。
【図面の簡単な説明】
【図１】  本発明の実施の一形態を示す要部断面側面図である。
【図２】  要部断面平面図である。
【図３】  手掛け部の正面図である。
【図４】  揺動操作片の側面図である。
【図５】  揺動爪片の側面図である。
【図６】  要部作用説明図である。
【図７】  全体斜視図である。
【符号の説明】
１  外枠
２  引出し
３  物品収納凹所
４  本体部
５  手掛け部
６  前面壁部
７  取付壁部
８  庇状壁部
９  揺動操作片
10  揺動爪片
11  係止部
13  前方下傾部
14  鉛直部
18  取付枠
19  ねじ部材
20  ねじ軸部
21  ねじ挿通孔
22  貫孔
24  垂下片部
25  傾斜片部
26  鉛直片部
27  揺動力伝達片部
Ｌ1   第１水平軸心
Ｌ2   第２水平軸心
【図１】
0003645982.tif 000002
【図２】
0003645982.tif 000003
【図３】
0003645982.tif 000004
【図４】
0003645982.tif 000005
【図５】
0003645982.tif 000006
【図６】
0003645982.tif 000007
【図７】
0003645982.tif 000008